(57)【要約】【課題】充電機能が付加された簡易型ソーラー電源装置であって、バッテリー（あるいはこれを収納するボックス）だけを取り外して電源とすることができるとともに、これらを複数接続して使用できるようにした装置を提供することにある。また、これに伴い、単体の場合以上に省スペース化が図られた簡易型ソーラー電源装置を提供する。【課題を解決するための手段】傾斜して配置されるソーラーパネルと、傾斜したソーラーパネルの陰に隠れる位置に設けられた載置台と、載置台に置かれ、バッテリーと充電制御回路を含み、ソーラーパネルと着脱自在な電源回路でつながれたコントロールボックスとからなる簡易型ソーラー電源装置を提供する。【選択図】図１
2012023817.tif 000002
【特許請求の範囲】
【請求項１】
傾斜して配置されるソーラーパネルと、
傾斜したソーラーパネルの陰に隠れる位置に設けられた載置台と、
載置台に置かれ、バッテリーと充電制御回路を含み、ソーラーパネルと着脱自在な電源回路でつながれたコントロールボックスと、
からなる簡易型ソーラー電源装置。
【請求項２】
コントロールボックスは、他のコントロールボックスと直列接続して複数のバッテリーを一体の電源として利用可能とするための直列接続端子を有する請求項１に記載の簡易型ソーラー電源装置。
【請求項３】
コントロールボックスは、他のコントロールボックスと並列接続して複数のバッテリーを一体の電源として利用可能とするための並列接続端子を有する請求項１又は２に記載の簡易型ソーラー電源装置。
【請求項４】
ソーラーパネルは、他のソーラーパネルと直列接続して複数のソーラーパネルを一体のソーラーパネルとして利用可能とするためのパネル直列接続端子を有する請求項１から３のいずれか一に記載の簡易型ソーラー電源装置。
【請求項５】
ソーラーパネルは、他のソーラーパネルと並列接続して複数のソーラーパネルを一体のソーラーパネルとして利用可能とするためのパネル並列接続端子を有する請求項１から４のいずれか一に記載の簡易型ソーラー電源装置。
【発明の詳細な説明】
【技術分野】
【０００１】
本件発明は、簡易型電源装置に関するものであり、特に、ソーラーパネルによって発電を行い、発電した電気を電源として他の電気機器に供給するための簡易型ソーラー電源装置に関する。
【背景技術】
【０００２】
簡易型電源装置は、一般家庭などにおける使用に適した小型軽量で簡単に組み立てることができる電源装置である。また、地震などの災害時における非常用の電源としても有効なものである。このため、簡易型電源装置は、発電用の燃料等の調達が困難な状況下であっても支障なく利用できるものであることが望ましい。さらに、簡易型電源装置は、災害時を含むあらゆる使用時において排気ガスによる大気汚染や騒音などの環境問題に配慮されたものであることが望ましい。この点、ソーラー発電によって得られた電力を電源とする簡易型ソーラー電源装置は、太陽光をエネルギー源とするものであることから、発電用の燃料等の調達が困難な状況下であっても支障なく利用できるものであり、また排気ガスや騒音などを発生することもなく環境問題に配慮されたものである点で優れたものである。さらに、簡易型ソーラー電源装置は、近年特に関心が高まっている省エネルギー対策や地球温暖化対策への取り組みといった観点からも優れたものである。さらに、太陽電池自体には充電（蓄電）機能はないが、夜間や雨天時においても非常用の電源などが必要となる事態は十分予想されることから、簡易型ソーラー電源装置には充電機能が付加されたものであることが望ましい。
【０００３】
簡易型ソーラー電源装置として、例えば、特許文献１には、ソーラーパネルと該ソーラーパネルにて発電された電力を充電するバッテリーボックスとを設け、該ソーラーパネルの上部にフック孔を設けると共に、該ソーラーパネルには折り畳み足が回動自在に設けられ、該フック孔にて前記ソーラーパネルを壁等に装着し、且つ、該折り畳み足にて該ソーラーパネルの採光角度を保持できるように形成し、更に、該ソーラーパネル及び前記バッテリーボックスに電力入出力用のシガーライタータイプのソケット端子を装着したことを特徴とする簡易電源システムが開示されている（特許文献１参照）。
【先行技術文献】
【特許文献】
【０００４】
【特許文献１】特開平９−２６１９８１号公報
【発明の概要】
【発明が解決しようとする課題】
【０００５】
ところで、最近では一般家庭においても電子機器や家電機器などの種類や数が増えているが、これらの機器は単体で用いられる場合もあれば複数の機器が同時に用いられる場合もある。そこで、これらの機器のための電源として簡易型ソーラー電源装置を用いる場合にも、当該電源装置はこのような様々な使用形態に対応できるものであることが望ましい。また、災害時における非常用電源として当該電源装置を用いる場合にも、家庭内で用いる場合のほか、避難所に持ち込んで（あるいは避難所として想定されている体育館などに予め装備しておき）、複数家庭や避難者全体のための電源として用いる場合も考えられる。従って、このような場合にもやはり当該電源装置は様々な使用形態に対応できるものであることが望ましい。
【０００６】
また、夜間や雨天時などにおいて当該電源装置のバッテリーに充電した電力を使用する場合には、ソーラーパネルは不要となるので、バッテリー（より正確には、これに関連するコントロールユニットなどを含むコントロールボックス）だけを取り外して電源とすることができれば、より省スペースが図られた環境で当該電源装置を使用することができるので、より望ましいといえる。
【０００７】
しかしながら、従来の簡易型ソーラー電源装置は、バッテリーを含むコントロールボックスだけを取り外して電源とすることができるようには構成されていなかったため、省スペースが図られた環境で使用することができる程度には限界があった。また、上記のような様々な使用形態に対応して複数の簡易型ソーラー電源装置を接続して使用できるようにしたものも存在していなかった。さらに、コントロールボックスだけを取り外して電源とすることができるように構成されたものが存在していなかった以上当然のことながら、取り外したコントロールボックスに含まれる複数のバッテリーを接続して使用できるようにしたものも存在していなかった。
【０００８】
さらに、複数の簡易型ソーラー電源装置やこれらから取り外した複数のバッテリーを接続して使用できるように構成する場合には、単体の場合に比べ部材の体積が増すことになるから、従来以上に省スペース化を図ることが重要となるが、従来の簡易型ソーラー電源装置にあっては、そもそもこのような使用形態を想定していなかったことから、単体の場合以上に省スペース化を図るという発想自体がなく、このような簡易型ソーラー電源装置は存在していなかった。
【０００９】
そこで、本発明の解決すべき課題は、充電機能が付加された簡易型ソーラー電源装置であって、バッテリーを含むコントロールボックスだけを取り外して電源とすることができるとともに、これらを複数接続して使用できるようにした装置を提供することにある。また、これに伴い、単体の場合以上に省スペース化が図られた簡易型ソーラー電源装置を提供することにある。
【課題を解決するための手段】
【００１０】
以上の課題を解決するため、第一の発明は、傾斜して配置されるソーラーパネルと、傾斜したソーラーパネルの陰に隠れる位置に設けられた載置台と、載置台に置かれ、バッテリーと充電制御回路を含み、ソーラーパネルと着脱自在な電源回路でつながれたコントロールボックスとからなる簡易型ソーラー電源装置を提供する。また、第二の発明は、第一の発明を基礎として、コントロールボックスは、他のコントロールボックスと直列接続して複数のバッテリーを一体の電源として利用可能とするための直列接続端子を有する簡易型ソーラー電源装置を提供する。また、第三の発明は、第一又は第二の発明を基礎として、コントロールボックスは、他のコントロールボックスと並列接続して複数のバッテリーを一体の電源として利用可能とするための並列接続端子を有する簡易型ソーラー電源装置を提供する。また、第四の発明は、第一から第三のいずれか一に記載の発明を基礎として、ソーラーパネルは、他のソーラーパネルと直列接続して複数のソーラーパネルを一体のソーラーパネルとして利用可能とするためのパネル直列接続端子を有する簡易型ソーラー電源装置を提供する。また、第五の発明は、第一から第四のいずれか一の発明を基礎として、ソーラーパネルは、他のソーラーパネルと並列接続して複数のソーラーパネルを一体のソーラーパネルとして利用可能とするためのパネル並列接続端子を有する簡易型ソーラー電源装置を提供する。
【発明の効果】
【００１１】
本発明により、充電機能が付加された簡易型ソーラー電源装置であって、バッテリーを含むコントロールボックスだけを取り外して電源とすることができるとともに、これらを複数接続して使用できるようにした装置を提供することが可能となる。また、単体の場合以上に省スペース化が図られた簡易型ソーラー電源装置を提供することが可能となる。
【図面の簡単な説明】
【００１２】
【図１】本発明の簡易型ソーラー電源装置の外観の一例を示す図
【図２】載置台がソーラーパネルの陰に隠れる位置に設けられることの具体的意味を説明するための概念図
【図３】実施例１におけるコントロールボックスを含む電源回路の一例を示す概念図
【図４】コントロールボックスがソーラーパネルと着脱自在な電源回路でつながれている状態の一例を示す図
【図５】実施例２におけるコントロールボックスを含む電源回路の一例を示す概念図
【図６】実施例２におけるコントロールボックスを含む電源回路の一例を示す図
【図７】実施例３におけるコントロールボックスを含む電源回路の一例を示す概念図
【図８】コントロールボックスどうしの接続要領の一例を示す図
【図９】実施例４におけるソーラーパネルを含む電源回路の一例を示す概念図
【図１０】実施例４におけるソーラーパネルを含む電源回路の一例を示す図
【図１１】実施例５におけるソーラーパネルを含む電源回路の一例を示す概念図
【図１２】ソーラーパネルどうしの接続要領の一例を示す図
【符号の説明】
【００１３】
０１００      簡易型ソーラー電源装置
０１１０      ソーラーパネル
０１２０      載置台
０１３０      コントロールボックス
０１４０      スタンド脚
０１４０ａ    スタンド脚の斜辺
【発明を実施するための形態】
【００１４】
以下に、本発明の実施例を説明する。実施例と請求項の相互の関係については、実施例１は主に請求項１などに関し、実施例２は主に請求項２などに関し、実施例３は主に請求項３などに関し、実施例４は主に請求項４などに関し、実施例５は主に請求項５などに関する。なお、本発明はこれら実施例に何ら限定されるものではなく、その要旨を逸脱しない範囲において、種々なる態様で実施しうる。
【実施例１】
【００１５】
<概要>
【００１６】
本実施例の簡易型ソーラー電源装置は、ソーラーパネルと、載置台と、コントロールボックスとからなる簡易型ソーラー電源装置であり、ソーラーパネルが傾斜して配置され、載置台がソーラーパネルの陰に隠れる位置に設けられる点、およびコントロールボックスがソーラーパネルと着脱自在な電源回路でつながれている点に特徴を有するものである。前者の特徴は、本装置の省スペース化を図るなどのためのものであり、後者の特徴は、本装置を様々な状況に応じて使用可能にするためのものである。
【００１７】
<構成>
【００１８】
（全般）
【００１９】
図１は本発明の簡易型ソーラー電源装置の外観の一例を示す図である。本図に示すように、本発明の簡易型ソーラー電源装置０１００は、ソーラーパネル０１１０と、載置台０１２０と、コントロールボックス０１３０とからなる。簡易型ソーラー電源装置の寸法は、一般家庭の室内やベランダなどにおいて簡易に組み立てて設置することができる程度のものであることが望ましい。そのような好適な寸法の一例としては、本図の矢印Ａ方向から見た面（ソーラーパネルの前面）を正面として、正面幅６４０ｍｍ程度、側面幅（奥行き）５００ｍｍ程度、高さ１２６０ｍｍ程度のものが挙げられる。
【００２０】
（ソーラーパネル）
【００２１】
「ソーラーパネル」は、ソーラー発電を行うための部材であり、複数のセル（太陽電池）を直並列接続して必要な電圧と電流を得られるようにしたものである。ソーラーパネル全体は、例えば樹脂や金属ガラス、金属などの枠で保護される。セルの種類には、一般にシリコン系のものや化合物系のものなどがあるが、本発明のソーラーパネルに用いられるセルの種類には特に限定はない。従って、ソーラーパネルの材質にも特に限定はないことになる。ソーラーパネルの好適な寸法の一例としては、簡易型ソーラー電源装置が上述のような正面幅６４０ｍｍ程度、側面幅（奥行き）５００ｍｍ程度、高さ１２６０ｍｍ程度のものである場合において、正面幅６４０ｍｍ程度、側面幅（奥行き）３５ｍｍ程度、高さ１２３５ｍｍ程度のものが挙げられる。
【００２２】
本発明の「ソーラーパネル」の特徴は、傾斜して配置されるように構成されている点にある。傾斜して配置されるように構成する目的は、載置台がソーラーパネルの陰に隠れる位置に設けられる点と相まって省スペース化を図ることにある。
【００２３】
ソーラーパネルを傾斜して配置するための構成としては、例えば本装置にソーラーパネルを支持するためのスタンド脚を設け、これにソーラーパネルを立て掛けてねじ等により固定する形で設置するようにすればよい。図１に示す例も、本装置の載置台０１２０の上方に二個の略直角三角形状の金属製などの棒状部材からなるスタンド脚０１４０を設け、当該スタンド脚の斜辺０１４０ａにソーラーパネル０１１０を立て掛けてねじ（本図には現れない）で固定した例を示す。
【００２４】
あるいは、ソーラーパネルを本装置に固定することなく、単にスタンド脚などの上に載置するだけでもよい。このような構成は、特に、別の実施例として後述するような複数のソーラーパネルを接続する場合に好適な構成となり得る。
【００２５】
（載置台）
【００２６】
「載置台」０１２０は、コントロールボックスを載置するためのものである。ここで「載置する」とは、典型的には、ねじ等で固定することなく単に置くだけの動作をいう。このようにコントロールボックスを単に置くだけとする目的は、コントロールボックスの据え付け・取外し、さらには本装置全体の移動等に際しての取扱いを容易にする点にある。特に、別の実施例として後述するように、コントロールボックスを複数接続する場合には、このような構成が好適なものとなる。ただし、上記目的に反しない限り、簡単な動作で据え付け・取外しができる程度に固定されているもの（例えば、コントロールボックスの底面に設けられた溝と載置台に設けられたレールが噛み合うようになっているものなど）も排除されない。
【００２７】
本発明の簡易型ソーラー電源装置における載置台の特徴は、ソーラーパネルの陰に隠れる位置に設けられるように構成されている点にある。この目的は、上述のソーラーパネルが傾斜して配置されるように構成されていることと相まって、簡易型ソーラー電源装置の省スペース化を図ることにある。また、直射日光がソーラーパネルに遮られて載置台上のコントロールボックスに当たらないようにすることでコントロールボックスに含まれる装置の劣化を防ぐことにある。また、雨天時に雨がソーラーパネルに遮られて載置台上のコントロールボックスに当たらないようにすることでやはりコントロールボックスに含まれる装置の劣化を防ぐことにある。さらに雨天時にソーラーパネルとスタンド脚を利用してビニールシートなどを上から簡単に被せることができるようにすることで、雨がコントロールボックスに当たらないようにするという上記の目的を好適に実現することにある。
【００２８】
次に、「載置台がソーラーパネルの陰に隠れる位置に設けられる」ことの具体的な意味について説明する。ここで「載置台がソーラーパネルの陰に隠れる位置に設けられる」とは、本発明においては、載置台の全部または一部がソーラーパネルの下側に重なる位置に配置される（換言すれば、平面図で見た場合に載置台の全部または一部がソーラーパネルの陰に隠れて見えない）ことをいう。
【００２９】
図２は、載置台がソーラーパネルの陰に隠れる位置に設けられることの具体的意味を説明するための概念図である。このうち（ａ）は、載置台がソーラーパネルの陰に隠れる位置に設けられている状態の一例を示す。本図では、ソーラーパネル０２１０の左端と右端の両端から垂直に降りている二本の破線の間に載置台０２２０の全部が収まっている。また図示は省略するが、矢印Ａ方向から見た面（ソーラーパネルのセルが配列されている面）を正面として正面図で見た場合に、載置台はソーラーパネルの左端と右端の両端から垂直に降りる二本の線の間にも全部が収まっている。これが「載置台の全部がソーラーパネルの下側に重なる位置に配置される」ということであり、「載置台がソーラーパネルの陰に隠れる位置に設けられる」典型的な場合である。なお、この場合載置台の上に載置されるコントロールボックス０２３０も、好適にはその平面積が載置台の面積より小さく、かつ載置台から一切はみ出すことがないように載置されるため、その全部がソーラーパネルの下側に重なる位置に配置されることになる。
【００３０】
図２（ｂ）も、載置台がソーラーパネルの陰に隠れる位置に設けられている状態の一例を示す。本図では、ソーラーパネル０２１０の左端と右端の両端から垂直に降りている二本の破線の間に載置台０２２０の一部が収まっている。また図示は省略するが、矢印Ａ方向から見た面を正面として正面図で見た場合に、載置台はソーラーパネルの左端と右端の両端から垂直に降りる二本の線の間に全部が収まっている。これは「載置台の一部がソーラーパネルの下側に重なる位置に配置される」場合の一例であり、これも「載置台がソーラーパネルの陰に隠れる位置に設けられる」場合に含まれる。このような場合の他の例として、例えば、図２（ａ）のように右側面から見た場合には載置台がソーラーパネルの左端と右端の両端から垂直に降りる二本の線の間に全部が収まっているが、正面図で見た場合には載置台がソーラーパネルの左端と右端の両端から垂直に降りる二本の線の間に一部が収まっているにすぎない場合や、図２（ｂ）のような場合において正面図で見た場合にも載置台がソーラーパネルの左端と右端の両端から垂直に降りる二本の線の間に一部が収まっているにすぎない場合も挙げられる。
【００３１】
これに対し、図２（ｃ）は、載置台がソーラーパネルの陰に隠れる位置に設けられていない状態の一例を示す。本図では、ソーラーパネル０２１０の左端と右端の両端から垂直に降りている二本の破線の間から載置台０２２０が完全に外れており、一部も収まっていないので、正面図で見た位置関係がどのようなものであるかに関係なく、「載置台の一部がソーラーパネルの下側に重なる位置に配置される」状態にはなっていないことになる。このような場合の他の例として、例えば、図２（ａ）のように右側面から見た場合には載置台がソーラーパネルの左端と右端の両端から垂直に降りる二本の線の間にも全部が収まっているが、正面図で見た場合には載置台がソーラーパネルの左端と右端の両端から垂直に降りる二本の線の間から完全に外れている場合や、図２（ｂ）のような場合において正面図で見た場合に載置台がソーラーパネルの左端と右端の両端から垂直に降りる二本の線の間から完全に外れている場合も挙げられる。
【００３２】
このように、本発明において、載置台がソーラーパネルの陰に隠れる位置に設けられるように構成した理由は、次のとおりである。即ち、ソーラーパネルを傾斜して配置する場合、その下側には仮に何も配置しなくても簡易型ソーラー電源装置自体が占めるスペースが生じることになる。そこで、載置台をその下側に配置すれば、そのための新たなスペースを確保する必要が節約できるので、省スペース化を図る観点から望ましい。また、このように構成すれば、載置台の上に載置されるコントロールボックスについても同様に新たなスペースを確保しなくてもすむので、やはり望ましい。このような観点からすれば、載置台の全部がソーラーパネルの下側に重なる位置に配置される場合が、載置台およびコントロールボックスのための新たなスペースを確保する必要が全く生じないので、最も好適な場合であるといえる。また、上述のように直射日光がコントロールボックスに当たらないようにするという目的や雨天時に雨がコントロールボックスに当たらないようにするという目的に照らしても、やはり、載置台の全部（従って、コントロールボックスの全部）がソーラーパネルの下側に重なる位置に配置される場合が最も好適である。さらに、このような配置にすれば、図２（ａ）からも明らかなように、雨天時にソーラーパネルとスタンド脚を利用してビニールシートなどを上から下まで被せることでコントロールボックスを完全に覆うことができるので、雨がコントロールボックスに当たらないようにするという目的を簡単かつ好適に実現することができる。
【００３３】
（コントロールボックス）
【００３４】
図１に戻り、「コントロールボックス」０１３０は、「載置台」０１２０に置かれ、バッテリーと充電制御回路を含み、「ソーラーパネル」０１１０と着脱自在な電源回路でつながれる。即ち、コントロールボックスは、バッテリー、充電制御回路を収納するための筺体（箱）と、その中に収納されるバッテリー、充電制御回路からなる部材である。コントロールボックスの筺体の材料には特に限定はないが、好適には樹脂が用いられる。また、コントロールボックスの寸法は載置台からはみ出さない大きさであることが望ましく、具体的寸法は、簡易型ソーラー電源装置全体や載置台の寸法との相対関係で規律される。なお、以下に言及するように、コントロールボックスは、バッテリー、充電制御回路以外の部材を含んでいてもよい。
【００３５】
「バッテリー」を収納する目的は、ソーラーパネルで発電した電気を充電し、夜間や雨天時でも本電源装置を使用できるようにすることにある。この場合、コントロールボックス内に収納されるバッテリーの数は一個であっても二個以上であってもよい。また、ソーラーパネルからバッテリーへの入力およびバッテリーからの出力をコントロールするためのバッテリーコントロールユニットも、コントロールボックス内に収納されてよい。
【００３６】
図３は、本実施例におけるコントロールボックスを含む電源回路の一例を示す概念図である。本図は収納されるバッテリーが直列に接続された二個のバッテリー０３３１、０３３２である例を示す。また、本図では、コントロールボックス内に収納されるバッテリーコントロールユニット０３３３も示されている。本図は概念図であり、コントロールボックスのうちバッテリー、バッテリーコントロールユニットのみを図示したが、これらバッテリー、バッテリーコントロールユニットの筺体（図示を省略）内における位置関係は概ね本図のような位置関係となる。
【００３７】
後述するように、コントロールボックスはソーラーパネルと着脱自在な電源回路でつながれており、本図の例の場合、ソーラーパネル０３１０から延びている出力コード０３５２が、コネクタ等を介してバッテリーコントロールユニットに接続される。また、バッテリーコントロールユニットに上記の二個のバッテリーが直列に接続される。バッテリーに充電された電気は、インバーター（図示を省略）により交流変換され、バッテリーコントロールユニットから出力コンセント０３５３を介して他の電気機器等に接続可能に構成される。なお、本図においてバッテリーコントロールユニットの左端に現れているのはヒューズ０３６１であり、バッテリーコントロールユニットの下方に延びているのはアース線０３６２である。
【００３８】
なお、本装置は、上例のように交流変換して電気機器等に接続されるものに限られず、直流のまま電気機器等に接続されるものであってもよい。後者の例として、シガーソケットから電源を採るタイプの電気機器等、バッテリー駆動の電子機器等や携帯電話や電気カミソリの充電などに使用する場合が考えられる。また、コントロールボックスに、電気機器等の使用形態に応じて交流出力とするのか直流出力とするのかの切替装置が備えられており、コンピュータによって当該切替を制御するように構成されていてもよい。
【００３９】
以上のように、コントロールボックスがソーラーパネルと着脱自在な電源回路でつながれるように構成したので、簡易型ソーラー電源装置からコントロールボックス（バッテリーを含む）だけを取り外して電源とすることが可能となる（他の実施例においても同様である）。
【００４０】
次に、「充電制御回路」は、バッテリーの充電を制御するための回路であり、バッテリー電圧が所定の電圧（例えば、２８．８Ｖ）になるとソーラーパネルの出力をオープン状態（切断状態）とし、その後バッテリー電圧が所定の電圧（例えば、２６Ｖ）に下がると再度充電を開始し、その後も同様のＯＮ・ＯＦＦを繰り返すように構成される。
【００４１】
なお、充電制御回路とともに、過放電制御回路も備えられていることが望ましい。過放電制御回路は、バッテリー電圧が所定の電圧（例えば、２２Ｖ）に下がるとインバーターをＯＦＦにして過放電を防止し、バッテリーの自然回復およびソーラーパネルからの充電によりバッテリー電圧が所定の電圧（例えば、２４Ｖ）になると再度インバーターを作動させるように構成される。
【００４２】
本発明におけるコントロールボックスは上述のように載置台に置かれている。これはコントロールボックスを配置するための新たなスペースを節約することで、本装置の省スペース化を図ることを目的とする。その具体的な意味については載置台とともに既に述べたとおりである。
【００４３】
また、コントロールボックスは、ソーラーパネルと着脱自在な電源回路でつながれる。
【００４４】
図４は、コントロールボックスがソーラーパネルと着脱自在な電源回路でつながれている状態の一例を示す図であり、簡易型ソーラー電源装置０４００を背面側から見た図である。本図の例では、コントロールボックス０４３０に入力コード０４５１が接続され、ソーラーパネル０４１０に出力コード０４５２が接続され、入力コードの先端に取り付けられたコネクタ０４５３と、出力コードの先端に取り付けられこれと着脱自在に嵌り合う形状のコネクタ０４５４とが互いに接続されることで、コントロールボックスとソーラーパネルとが電源回路でつながれている状態が実現される。あるいは、本図の例と異なり、コントロールボックスに接続されたコードの先端に取り付けられたコネクタをソーラーパネル背面に取り付けられたコネクタに接続するようにしてもよいし、これとは逆にソーラーパネルに接続されたコードの先端に取り付けられたコネクタをコントロールボックスに取り付けられたコネクタに接続するようにしてもよい。
【００４５】
このようにコントロールボックスがソーラーパネルと着脱自在な電源回路でつながれているように構成した目的は、バッテリーを含むコントロールボックスだけをソーラーパネルから取り外して使用できるようにすることにある。また、このようにバッテリーを含むコントロールボックスだけをソーラーパネルから取り外して使用できるようにすることで、複数のバッテリーを接続して使用する際に、省スペースを図ることができる。
【００４６】
なお、以下の各実施例に述べるように、本発明に係る簡易型ソーラー電源装置は、（１）コントロールボックスが他のコントロールボックスと直列接続して複数のバッテリーを一体の電源として利用可能とするための直列接続端子を有していてもよいし、（２）コントロールボックスが他のコントロールボックスと並列接続して複数のバッテリーを一体の電源として利用可能とするための並列接続端子を有していてもよい。また、（３）ソーラーパネルが他のソーラーパネルと直列接続して複数のソーラーパネルを一体のソーラーパネルとして利用可能とするためのパネル直列接続端子を有していてもよいし、あるいは（４）ソーラーパネルが他のソーラーパネルと並列接続して複数のソーラーパネルを一体のソーラーパネルとして利用可能とするためのパネル並列接続端子を有していてもよい。ここで、これら（１）〜（４）にかかる構成は択一的なものに限られない。即ち、本発明に係る簡易型ソーラー電源装置は、これらのうち任意の構成を併有していてもよい。
【００４７】
<効果>
【００４８】
本実施例の発明により、充電機能が付加された簡易型ソーラー電源装置であって、バッテリー（あるいはこれを収納するボックス）だけを取り外して電源とすることができるとともに、これらを複数接続して使用できるようにした装置を提供することが可能となる。また、単体の場合以上に省スペース化が図られた簡易型ソーラー電源装置を提供することが可能となる。
【実施例２】
【００４９】
<概要>
【００５０】
本実施例の簡易型ソーラー電源装置は、実施例１の簡易型ソーラー電源装置と基本的に共通するが、コントロールボックスが他のコントロールボックスと直列接続して複数のバッテリーを一体の電源として利用可能とするための直列接続端子を有する点に特徴がある。
【００５１】
<構成>
【００５２】
（全般）
【００５３】
本実施例の簡易型ソーラー電源装置も、実施例１の装置と同様に、ソーラーパネルと、載置台と、コントロールボックスとからなる。ただし、本実施例の簡易型ソーラー電源装置においては、コントロールボックスが他のコントロールボックスと直列接続して複数のバッテリーを一体の電源として利用可能とするための直列接続端子を有する。
【００５４】
（コントロールボックス：直列接続端子）
【００５５】
図５は、本実施例におけるコントロールボックスを含む電源回路の一例を示す概念図である。本図においても、図３と同様、コントロールボックスのうち、バッテリーとバッテリーコントロールユニットだけを示した。このうち、左側に示すバッテリー０５３１、０５３２とバッテリーコントロールユニット０５３３は（一の）コントロールボックス０５３０に含まれるものであり、右側に示すバッテリー０５３４、０５３５とバッテリーコントロールユニット０５３９は他のコントロールボックス０５３８に含まれるものである。そして、コントロールボックス０５３０のバッテリーコントロールユニット０５３３には直列接続端子０５３６が備えられている。この直列接続端子は、他のコントロールボックスと直列接続して複数のバッテリーを一体の電源として利用可能とするためのものであり、本図の例では、当該端子に取り付けられたコード０５５５が他のコントロールボックス０５３８のバッテリーコントールユニット０５３９に接続されるようになっている。このため、他のコントロールボックスにもコードを介してコントロールボックスと接続するための直列接続端子０５３７が備えられる。このように複数のコントロールボックスを直列接続することによる複数のバッテリーからの直流電流は、コントロールボックスに含まれるインバーター（図示を省略）によって交流変換がなされ、例えば他のコントロールボックスに含まれるコンセント０５５３を介して電気機器等０５７０に給電可能となる。
【００５６】
図６は、本実施例におけるコントロールボックスを含む電源回路の一例を示す図であって、コントロールボックス間の実際の電気の流れに即して示したものである。即ち、図５では、概念図であることから簡略化して描いたが、実際にはコントロールボックス間の電気の流れは、図６に示すようになる（なお、バッテリーの記載は省略した）。
【００５７】
図６において、電流の流れは、（一の）コントロールボックスに含まれるバッテリーコントロールユニットのプラス極から他のコントロールボックスに含まれるバッテリーコントロールユニットのマイナス極に、また、他のコントロールボックスに含まれるバッテリーコントロールユニットのプラス極から（一の）コントロールボックスに含まれるバッテリーコントロールユニットのマイナス極に向かう流れとなる。そして、交流変換された後、例えば他のコントロールボックスに含まれるコンセント０６５３を介して電気機器等０６７０に給電可能となる。
【００５８】
本実施例において「複数のバッテリー」とは、異なるコントロールボックスに含まれるバッテリーをいい、最も単純な例としては、（一の）コントロールボックスに一個のバッテリーが含まれ、他のコントロールボックスにも一個の含まれる場合が挙げられる。図５の例の場合は、各コントロールボックスに含まれるバッテリーの数が二個ずつであるが、このような場合における一個のコントロールボックスに含まれる二個以上のバッテリーは「複数のバッテリー」とは観念されない（以下の実施例においても同様である）。
【００５９】
このようにコントロールボックスが他のコントロールボックスと直列接続して複数のバッテリーを一体の電源として利用可能とするための直列接続端子を有するようにした目的は、冒頭に述べたような、電気機器等の様々な使用形態に対応できるようにするためである。特に、本実施例はコントロールボックスが他のコントロールボックスと直列接続するものであるため、バッテリーの最大出力を増すことができる。従って、複数の電気機器等を同時に使用する場合のように消費電力が相対的に大きくなるような使用形態に対応することができる。
【００６０】
<効果>
【００６１】
本実施例の簡易型ソーラー電源装置により、電気機器等の様々な使用形態に対応できるようにすることが可能となり、特にバッテリーの最大出力を増すことができるので、消費電力が相対的に大きくなるような使用形態に対応することができる。
【実施例３】
【００６２】
<概要>    
【００６３】
本実施例の簡易型ソーラー電源装置は、実施例１または２の簡易型ソーラー電源装置と基本的に共通するが、コントロールボックスが他のコントロールボックスと並列接続して複数のバッテリーを一体の電源として利用可能とするための並列接続端子を有する点に特徴がある。
【００６４】
<構成>
【００６５】
（全般）
【００６６】
本実施例の簡易型ソーラー電源装置も、実施例１の装置と同様に、ソーラーパネルと、載置台と、コントロールボックスとからなる。ただし、本実施例の簡易型ソーラー電源装置においては、コントロールボックスが他のコントロールボックスと並列接続して複数のバッテリーを一体の電源として利用可能とするための並列接続端子を有する。
【００６７】
（コントロールボックス：並列接続端子）
【００６８】
図７は、本実施例におけるコントロールボックスを含む電源回路の一例を示す概念図である。本図においては、上側に示すバッテリー０７３１、０７３２とバッテリーコントロールユニット０７３３は（一の）コントロールボックス０７３０に含まれるものであり、下側に示すバッテリー０７３４、０７３５とバッテリーコントロールユニット０７３９は他のコントロールボックス０７３８に含まれるものである。そして、コントロールボックス０７３０には並列接続端子０７３６が備えられている。また、他のコントロールボックス０７３８には並列接続端子０７３７が備えられている。この並列接続端子は、コントロールボックスを他のコントロールボックスと並列接続して複数のバッテリーを一体の電源として利用可能とするためのものであり、本図の例では、当該端子に取り付けられたコードが他のコントロールボックスに直接接続されるようにはなっていないが、本実施例では、このようにコントロールボックスどうしが接続端子を介して直接接続されることはない。即ち、本実施例にいう「コントロールボックスが他のコントロールボックスと並列接続して複数のバッテリーを一体の電源として利用可能とするための並列接続端子を有する」とは、「コントロールボックスが並列接続端子を有する」という意味であり、かつ、並列接続端子の目的が「コントロールボックスが他のコントロールボックスと並列接続して複数のバッテリーを一体の電源として利用可能とするため」であるという意味である。なお、図７も概念図であることから簡略化して描いたものであり、実際のコントロールボックス間の電気の流れは、図示は省略するが、図５について図６に示したものとパラレルなものとなる。
【００６９】
このようにコントロールボックスが他のコントロールボックスと並列接続して複数のバッテリーを一体の電源として利用可能とするための並列接続端子を有するようにした目的は、冒頭に述べたような、電気機器等の様々な使用形態に対応できるようにするためである。特に、本実施例はコントロールボックスが他のコントロールボックスと並列接続するものであるため、バッテリーの持続時間を増すことができる。従って、電気機器等を長時間継続して使用する場合のように使用時間が相対的に大きくなるような使用形態に対応することができる。
【００７０】
（コントロールボックス：コントロールボックスどうしの接続要領）
【００７１】
コントロールボックスを他のコントロールボックスと接続する際には、コントロールボックスどうしを簡単に接続することができ、しかもスペースをできるだけ節約できるようにすることが望ましい。
【００７２】
図８は、コントロールボックスどうしの接続要領の一例を示す図である。本図（ａ）に示すように、本例のコントロールボックス（ここでは、蓋を除外した本体だけを示す）０８３０は、重箱のように、上端付近（蓋を被せる部分）がコントロールボックスの外壁より一回り小さい壁状の突起０８３０ａを形成している。この突起は、例えば外箱と内箱を嵌め合わせることで形成してもよいし、はじめからこのような形状のものを一体成形によって形成してもよい。図８（ｂ）は（ａ）に示したコントロールボックスどうしの接続要領の一例を示しており、下側に示す（一の）コントロールボックス０８３０の上に上側に示す他のコントロールボックス０８３８を積み重ねることによりコントロールボックスどうしの接続を行うものである。この場合、各コントロールボックスの底面には、やはり重箱のように、丁度コントロールボックスの突起０８３０ａ、０８３８ａがぴったりと嵌り合うような寸法、形状の凹部０８３０ｂ、０８３８ｂが形成されている。そこで、本図の例では、他のコントロールボックス０８３８の凹部０８３８ｂをコントロールボックス０８３０の突起０８３０ａに嵌め合わせることにより、他のコントロールボックス０８３８をコントロールボックス０８３０上に積み重ねることができる。なお、本図の例とは逆に、コントロールボックス本体の上端側に凹部（例えば内箱の上端面を外箱の上端面より少し低くすることにより形成される）を設け、底面側にこれと嵌り合う凸部（例えば底部をコントロールボックス全体の水平断面より一回り小さく外壁下端より下側にやや突出した台状部分とすることで形成される）を設けるようにしてもよい。
【００７３】
また、この場合、コントロールボックスの蓋は最上段に配置されるコントロールボックス本体にのみ被せるようにすればよい。三個以上のコントロールボックスを積み重ねる場合も同じ要領で行えばよい。
【００７４】
このような接続要領によれば、コントロールボックスどうしを簡単に接続することができ、しかもスペースを節約することが可能となる。
【００７５】
以上の接続要領は、本実施例のようなコントロールボックスが並列接続端子を有する場合と前実施例のようなコントロールボックスが直列接続端子を有する場合に共通するものである。なお、この場合において、コントロールボックスどうしの電気的接続をより簡易に行うことができるように、本図では図示を省略したが、接続端子は、例えば各コントロールボックスの同じ側の面に現れるように配置されることが望ましい。
【００７６】
<効果>
【００７７】
本実施例の簡易型ソーラー電源装置により、電気機器等の様々な使用形態に対応できるようにすることが可能となり、特にバッテリーの持続時間を増すことができるので、使用時間が相対的に大きくなるような使用形態に対応することができる。
【実施例４】
【００７８】
<概要>
【００７９】
本実施例の簡易型ソーラー電源装置は、実施例１から３のいずれか一の簡易型ソーラー電源装置と基本的に共通するが、ソーラーパネルが他のソーラーパネルと直列接続して複数のソーラーパネルを一体のソーラーパネルとして利用可能とするためのパネル直列接続端子を有する点に特徴がある。
【００８０】
<構成>
【００８１】
（全般）
【００８２】
本実施例の簡易型ソーラー電源装置も、実施例１の装置と同様に、ソーラーパネルと、載置台と、コントロールボックスとからなる。ただし、本実施例の簡易型ソーラー電源装置においては、ソーラーパネルが他のソーラーパネルと直列接続して複数のソーラーパネルを一体のソーラーパネルとして利用可能とするためのパネル直列接続端子を有する。
【００８３】
（ソーラーパネル：パネル直列接続端子）
【００８４】
図９は、本実施例におけるソーラーパネルを含む電源回路の一例を示す概念図である。このうち、左側に示す（一の）ソーラーパネル０９１０には、パネル直列接続端子０９１１が備えられている。このパネル直列接続端子は、右側に示す他のソーラーパネル０９１５と直列接続して複数のソーラーパネルを一体のソーラーパネルとして利用可能とするためのものであり、本図の例では、当該端子に取り付けられたコード０９１３が他のソーラーパネルに接続されるようになっている。このため、他のソーラーパネルにもコードを介してソーラーパネルと接続するためのパネル直列接続端子０９１６が備えられる。なお、他のソーラーパネルはコントロールボックスに接続されるが、その接続要領は実施例１で説明したところと同様である。
【００８５】
図１０は、本実施例におけるソーラーパネルを含む電源回路の一例を示す図であって、ソーラーパネル間の実際の電気の流れに即して示したものである。即ち、図９では、概念図であることから簡略化して描いたが、実際にはソーラーパネル間の電気の流れは、図１０に示すようになる（なお、バッテリーの記載は省略した）。
【００８６】
図１０において、電流の流れは、（一の）ソーラーパネル１０１０のプラス極から他のソーラーパネルのマイナス極に向かう流れとなる。また、他のソーラーパネルのプラス極からコントロールボックスに向かって電流が流れるとともに、コントロールボックスから（一の）ソーラーパネルのマイナス極に向かって電流が流れる。
【００８７】
このようにソーラーパネルが他のソーラーパネルと直列接続して複数のソーラーパネルを一体のソーラーパネルとして利用可能とするためのパネル直列接続端子を有するようにした目的は、やはり冒頭に述べたような、電気機器等の様々な使用形態に対応できるようにするためである。特に、本実施例はソーラーパネルが他のソーラーパネルと直列接続するものであるため、ソーラーパネルの最大出力および最大出力電圧を増すことができる。
【００８８】
<効果>
【００８９】
本実施例の簡易型ソーラー電源装置により、電気機器等の様々な使用形態に対応できるようにすることが可能となり、特にソーラーパネルの最大出力および最大出力電圧を増すことができる。
【実施例５】
【００９０】
<概要>
【００９１】
本実施例の簡易型ソーラー電源装置は、実施例１から４のいずれか一の簡易型ソーラー電源装置と基本的に共通するが、ソーラーパネルが他のソーラーパネルと並列接続して複数のソーラーパネルを一体のソーラーパネルとして利用可能とするためのパネル並列接続端子を有する点に特徴がある。
【００９２】
<構成>
【００９３】
（全般）
【００９４】
本実施例の簡易型ソーラー電源装置も、実施例１の装置と同様に、ソーラーパネルと、載置台と、コントロールボックスとからなる。ただし、本実施例の簡易型ソーラー電源装置においては、ソーラーパネルが他のソーラーパネルと並列接続して複数のソーラーパネルを一体のソーラーパネルとして利用可能とするためのパネル並列接続端子を有する。
【００９５】
（ソーラーパネル：パネル並列接続端子）
【００９６】
図１１は、本実施例におけるソーラーパネルを含む電源回路の一例を示す概念図である。このうち、左側に示す（一の）ソーラーパネル１１１０は、パネル並列接続端子１１１１を備えている。このパネル並列接続端子は、右側に示す他のソーラーパネル１１１５と並列接続して複数のソーラーパネルを一体のソーラーパネルとして利用可能とするためのものであり、本図の例では、当該端子に取り付けられたコード１１１３が他のソーラーパネルに接続されるようになっている。このため、他のソーラーパネルにもコードを介してソーラーパネルと接続するためのパネル並列接続端子１１１６が備えられる。なお、他のソーラーパネルはコントロールボックスに接続されるが、その接続要領は実施例１で説明したところと同様である。
【００９７】
このようにソーラーパネルが他のソーラーパネルと並列接続して複数のソーラーパネルを一体のソーラーパネルとして利用可能とするためのパネル並列接続端子を有するようにした目的は、やはり冒頭に述べたような、電気機器等の様々な使用形態に対応できるようにするためである。特に、本実施例はソーラーパネルが他のソーラーパネルと並列接続するものであるため、ソーラーパネルの最大出力および最大出力電流を増すことができる。
【００９８】
（ソーラーパネル：ソーラーパネルどうしの接続要領）
【００９９】
ソーラーパネルを他のソーラーパネルと接続する際には、ソーラーパネルどうしを簡単に接続することができ、しかもスペースをできるだけ節約できるようにすることが望ましい。
【０１００】
図１２は、ソーラーパネルどうしの接続要領の一例を示す図である。本図（ａ）に示すように、本例のソーラーパネル１２１０は、側面に三個の略半球状の凹部（窪み）１２１０ａを形成したものである。また、本図には現れないが、ソーラーパネルの反対側の側面には、前記凹部とぴったりと嵌り合うような寸法、形状の凸部（突起）が形成されている。図１２（ｂ）は、（ａ）に示したソーラーパネルを正面側から見た図である。本図には、（一の）ソーラーパネル１２１０の右側面に三個の凹部１２１０ａが形成され、左側面に三個の凸部１２１０ｂが形成されている状態が示されている。同様に、他のソーラーパネル１２１５の右側面に三個の凹部１２１５ａが形成され、左側面に三個の凸部１２１５ｂが形成されている状態が示されている。そこで、本図の例では、他のソーラーパネル１２１５の凸部１２１５ｂをソーラーパネル１２１０の凹部１２１０ａに嵌め合わせることにより、他のソーラーパネル１２１５をソーラーパネル１２１０につなぎ合わせることができる。なお、本図の凹部、凸部の形状はあくまで一例であり、両者が互いにぴったりと嵌り合う形状であれば他の形状であってもよい（例えば、凸部が略円錐形状、略円柱形状といったものが考えられる）。この場合、ソーラーパネルを簡易型ソーラー電源装置１２００に取り付けたまま他の簡易型ソーラー電源装置に取り付けたソーラーパネルと接続してもよいし（外見上複数の簡易型ソーラー電源装置が横に並べられた状態となる）、少なくとも一個のソーラーパネルを元の簡易型ソーラー電源装置から取り外した状態でソーラーパネルどうしを接続するようにしてもよい。後者の場合、例えば、略長方形状のソーラーパネルの長辺が上下の辺を構成する向き（平たく言えば、図１２のソーラーパネルが横長になるように９０度回転させた状態）にして、これを一個の簡易型ソーラー電源装置のスタンド脚の斜辺に縦に積み重ねるようにしてもよい。
【０１０１】
さらに、これらの接続をより簡易に行えるようにするため、ソーラーパネルはスタンド脚にねじ等により固定するのではなく、単にスタンド脚の斜辺上に載置するだけでもよい。この場合、載置を容易に行えるようにするために、例えば、スタンド脚の斜辺の下端付近にソーラーパネルを保持するための突起を設けるようにしてもよい。図１２（ａ）に、スタンド脚１２４０の斜辺１２４０ａの下端付近に設けられたかかる突起１２２１を示す。
【０１０２】
三個以上のソーラーパネルをつなぎ合わせる場合も同じ要領で行えばよい。
【０１０３】
このような接続要領によれば、ソーラーパネルどうしを簡単に接続することができ、しかもスペースを節約することが可能となる。
【０１０４】
以上の接続要領は、本実施例のようなコントロールボックスが並列接続端子を有する場合と前実施例のようなコントロールボックスが直列接続端子を有する場合に共通するものである。なお、この場合において、コントロールボックスどうしの電気的接続をより簡易に行うことができるように、本図では図示を省略したが、接続端子は、例えば各コントロールボックスの同じ側の面に現れるように配置されることが望ましい。
【０１０５】
<効果>
【０１０６】
本実施例の簡易型ソーラー電源装置により、電気機器等の様々な使用形態に対応できるようにすることが可能となり、特にソーラーパネルの最大出力および最大出力電流を増すことができる。
【図１】
2012023817.tif 000003
【図２】
2012023817.tif 000004
【図３】
2012023817.tif 000005
【図４】
2012023817.tif 000006
【図５】
2012023817.tif 000007
【図６】
2012023817.tif 000008
【図７】
2012023817.tif 000009
【図８】
2012023817.tif 000010
【図９】
2012023817.tif 000011
【図１０】
2012023817.tif 000012
【図１１】
2012023817.tif 000013
【図１２】
2012023817.tif 000014